(57)【特許請求の範囲】
【請求項１】
押入れ内に収納された布団類と、この布団類が載置される床面との間に、吸湿性を有する吸湿性基材層の少なくとも片面に、立体メッシュ編物または一方向に沿って並行に起毛させたリブからなる、通気性を有する通気層が設けられてなる収納設備用吸湿敷物が設けられ、床面に通気層が接するように敷設され、吸湿性基材層と押入れの床面との間に間隙が形成されるとともに、布団類の湿気を吸湿性基材層が吸湿するようになされたことを特徴とする押入れ構造。
【請求項２】
気温２０℃、相対湿度５０％と、気温２０℃、相対湿度９５％とにおける吸湿性基材層の吸湿量差が３０ｇ／ｍ２以上となされた収納設備用吸湿敷物を用いる請求項１記載の押入れ構造。
【請求項３】
吸湿性基材層が、放湿性を有する収納設備用吸湿敷物を用いる請求項１または２記載の押入れ構造。
【請求項４】
吸湿性基材層が、抗菌性、防カビ性を有する架橋アクリレート系繊維からなる収納設備用吸湿敷物を用いる請求項１または３記載の押入れ構造。
【請求項５】
吸湿性基材層の吸湿状況を把握するための湿気感知センサーが設けられてなる収納設備用吸湿敷物を用いる請求項１ないし４の何れか一記載の押入れ構造。
【請求項６】
吸湿性基材層の片面に通気層が設けられ、布団類の湿気を吸湿性基材層が直接的に吸湿するようになされた請求項１ないし５の何れか一記載の押入れ構造。
【発明の詳細な説明】
【０００１】
【発明の属する技術分野】
本発明は、押入れやタンスなどの湿気が多く結露し易い収納空間において、湿気や結露を除去するための収納設備用吸湿敷物による押入れ構造に関するものである。
【０００２】
【従来の技術】
一般に、押入れなどの収納空間においては、湿気が溜まり易く、結露が生じやすい。
【０００３】
そこで、従来より、このような収納空間内の通気を良くして湿気の除去を図る目的でスノコが広く利用されていた。すなわち、収納空間の床面にスノコを設け、その上に布団類などを載置することで、床面と布団類などとの間に通気のための空隙を形成するようになされていた。
【０００４】
【発明が解決しようとする課題】
しかし、上記従来のスノコの場合、通気性を確保することができるが、布団類などに含まれた湿気や、床面に生じる結露などを積極的に除去することができないといった不都合を生じることとなる。
【０００５】
そのため、スノコによって形成される床面と布団類との間隙に、シリカゲルや塩化カルシウムなどの除湿剤などを設けることが考えられるが、これらの除湿剤は再使用することができず、再使用できたとしても、再生に高温を要するため、このような収納空間内においては、吸湿力を再生することができない。
【０００６】
本発明は、係る実情に鑑みてなされたものであって、通気性を確保し、かつ、除湿を充分に行うことができ、結露の発生や、湿気によるカビの発生などを防止することができる収納設備用吸湿敷物による押入れ構造を提供することを目的としている。
【０００７】
【課題を解決するための手段】
上記課題を解決するための本発明の押入れ構造は、押入れ内に収納された布団類と、この布団類が載置される床面との間に、吸湿性を有する吸湿性基材層の少なくとも片面に、立体メッシュ編物または一方向に沿って並行に起毛させたリブからなる、通気性を有する通気層が設けられてなる収納設備用吸湿敷物が設けられ、床面に通気層が接するように敷設され、吸湿性基材層と押入れの床面との間に間隙が形成されるとともに、布団類の湿気を吸湿性基材層が吸湿するようになされたものである。また、気温２０℃、相対湿度５０％と、気温２０℃、相対湿度９５％とにおける吸湿性基材層の吸湿量差が３０ｇ／ｍ２以上となされた収納設備用吸敷物を用いるものである。さらに、吸湿性基材層が、放湿性を有する収納設備用吸湿敷物を用いるものである。さらに、吸湿性基材層が、抗菌性、防カビ性を有する架橋アクリレート系繊維からなる収納設備用吸湿敷物を用いるものである。さらに、吸湿性基材層の吸湿状況を把握するための湿気感知センサーが設けられてなる収納設備用吸湿敷物を用いるものである。
【０００８】
また、上記課題を解決するための本発明の押入れ構造は、上記押入れ構造において、吸湿性基材層の片面に通気層が設けられ、布団類の湿気を吸湿性基材層が直接的に吸湿するようになされたものである。
【０００９】
【発明の実施の形態】
以下、本発明の実施の形態を図面を参照して説明する。
【００１０】
図１は収納設備用吸湿敷物１の全体構成の概略を示し、図２及び図３は同収納設備用吸湿敷物１を用いた押入れ４の構造を示している。
【００１１】
すなわち、この収納設備用吸湿敷物１は、吸放湿性基材層２の片面に、通気層３が設けられている。
【００１２】
吸放湿性基材層２は、収納設備用吸湿敷物１を押入れ４の床面４１に設けた状態で、この押入れ４に収納される布団類５と、床面４１との間の環境を調整して、布団類５の除湿、床面４１の結露発生防止、カビ発生防止、カビによる悪臭の発生防止などを行うようになされている。このような吸放湿性基材層２としては、単に湿気や結露を調整する吸放湿性を有するもの、もくしは、上記吸放湿性に加えて、カビの発生を防止する抗菌性、防カビ性を有するものを使用することができる。
【００１３】
吸放湿性を有する吸放湿性基材層２としては、例えば、カネボウ社製 ベルオアシス（
商品名）などの吸放湿性アクリレート系繊維を使用することができる。この吸放湿性アクリレート系繊維の場合も、抗菌繊維を併用することによって簡単に抗菌性、防カビ性を兼ね備えた吸放湿性基材層２にすることができる。
【００１４】
また、吸放湿性に加えて、抗菌性、防カビ性を兼ね備えた吸放湿性基材層２としては、例えば、東洋紡社製 モイスケア（商品名）などの架橋アクリレート系繊維を使用することができる。この架橋アクリレート系繊維の場合、具体的なものとしては、ヒドラジン架橋による窒素含有量の増加が１．０重量％〜８．０重量％である架橋アクリレート系繊維であって、残存ニトリル基の一部に１．０ｍｍｏｌ／ｇ〜４．５ｍｍｏｌ／ｇの塩型カルボキシル基が導入され、残部にアミド基が導入されており、引張り強度が１ｇ／ｄ以上、限界酸素指数が２４以上および滅菌率が９０％以上の吸放湿性繊維が好ましいものとして挙げられる。
【００１５】
上記架橋アクリレート系繊維は、アクリル系繊維にヒドラジン処理により架橋結合を導入して窒素含有量の増加を１重量％〜８重量％の範囲内に調整し、加水分解反応により残存しているニトリル基の１．０ｍｍｏｌ／ｇ〜４．５ｍｍｏｌ／ｇにカルボキシル基を導入し、残部にアミド基を導入し、次いでこのカルボキシル基を塩型にすることによって得ることができる。
【００１６】
最良の吸放湿性基材層２であるこの架橋アクリレート系繊維について、以下に具体的に説明する。
【００１７】
上記架橋アクリレート系繊維の原料繊維としては、アクリロニトリル（以下、ＡＮという）を４０重量％以上、好ましくは５０重量％以上含有するＡＮ系重合体により形成された繊維が挙げられる。かかる原料アクリル系繊維は、短繊維、トウ、糸、編織物、不織布などいずれの形態でもよく、製造工程中途品や廃繊維などであってもよい。ＡＮ系重合体は、ＡＮ単独重合体、ＡＮと他のモノマーとの共重合体のいずれでもよい。他のモノマーとしては、ハロゲン化ビニルおよびハロゲン化ビニリデン；（メタ）アクリル酸エステル；メタリルスルホン酸、ｐ−スチレンスルホン酸などのスルホン酸含有モノマーおよびその塩；（メタ）アクリル酸、イタコン酸などのカルボン酸含有モノマーおよびその塩；アクリルアミド、スチレン、酢酸ビニルなどのその他のモノマーが挙げられる。
【００１８】
アクリル系繊維に、ヒドラジン架橋を導入する方法としては、濃度６％〜８０％のヒドラジン水溶液中、温度５０℃〜１２０℃で、１〜５時間処理する方法が好ましいものとして挙げられる。窒素含有量の増加とは、原料アクリル系繊維の窒素含有量に比べヒドラジン架橋アクリル繊維の窒素含有量を増加させることをいう。ヒドラジンとしては、水加ヒドラジン、硫酸ヒドラジン、塩酸ヒドラジン、硝酸ヒドラジン、臭素酸ヒドラジンなどが挙げられる。
【００１９】
加水分解反応によりヒドラジン架橋されずに残存しているニトリル基量の１．０ｍｍｏｌ／ｇ〜４．５ｍｍｏｌ／ｇにカルボキシル基を導入し、残部にアミド基を導入する方法としては、アルカル金属水酸化物、アンモニアなどの塩基性水溶液；硝酸、硫酸、塩酸などの鉱酸の水溶液を含浸させた状態で、またはこの水溶液に原料繊維を浸漬した状態で加熱処理する手段が挙げられる。なお、前記架橋結合の導入と同時に加水分解反応を行うこともできる。また、酸で加水分解した場合にはカルボキシル基を塩型に変換する必要がある。
【００２０】
カルボキシル基を塩型にする方法としては、上述した加水分解繊維を下記に例示する各種の塩型の水酸化物または塩の水溶液に浸漬し、その後水洗、乾燥する方法が好適に用いられる。カルボキシル基の塩型としては、Ｌｉ、Ｎａ、Ｋなどのアルカリ金属、Ｂｅ、Ｍｇ、Ｃａ、Ｂａなどのアルカリ土類金属、Ｃｕ、Ｚｎ、Ａｌ、Ｍｎ、Ａｇ、Ｆｅ、Ｃｏ、Ｎｉなどの他の金属、ＮＨ４、アミンなどの有機の陽イオンを挙げることができる。
【００２１】
この架橋アクリレート系繊維は、窒素を含有する架橋構造により抗菌性がもたらされているものと推定される。また、この架橋アクリレート系繊維は、吸湿性のみならず放湿性にも優れているので、床下環境において使用しても充分に吸湿性を再生することができる。この架橋アクリレート系繊維は、吸放湿性基材層２の全体を構成してもよいし、他の化学繊維、天然繊維、動物繊維などと混合して吸放湿性基材層２を構成するものであってもよい。
【００２２】
この吸放湿性基材層２は、押入れ４に収納される布団類５などの湿気を吸湿して押入れ４内の環境調整をすることができるだけの充分な吸放湿量を確保することができるものであれば、その吸放湿量は、特に限定されるものではないが、気温２０℃、相対湿度５０％と、気温２０℃、相対湿度９５％とにおける吸湿量差が３０ｇ／ｍ２以上のもの、特に１００ｇ／ｍ２以上のものを使用することが好ましい。
【００２３】
また、この吸放湿性基材層２は、押入れ４の床面４１に設けることが可能な大きさであれば、特に限定されるものではなく、床面４１の大きさの範囲内で適宜の大きさに決定される。また、その厚みとしても、特に限定されるものではないが、吸放湿性基材層２の吸放湿性能および絶対量によって吸放湿量が左右されることとなるので、押入れ４の収納規模に応じて、その厚みが調整される。
【００２４】
通気層３は、上記吸放湿性基材層２の片面に設けられ、押入れ４の床面４１と、布団類５との間に収納設備用吸湿敷物１を設けた状態で、吸放湿性基材層２と押入れ４の床面４１との間に間隙を形成して通気性を確保することができるようになされている。この通気層３としては、立体メッシュ編物によって形成したものを、吸放湿性基材層２の表面に直接縫い付けて構成することができる。また、図４に示すように、一方向に沿って並行に起毛させてリブ３１を形成することによって構成された通気層３であってもよい。この通気層３は、上記したような編物であってもよいし、メッシュ状の樹脂成形品を接着や、電磁誘導加熱による熱融着で吸放湿性基材層２と一体化するものであってもよい。
【００２５】
このようにして構成される収納設備用吸湿敷物１は、押入れ４の床面４１に通気層３が接するように、この床面４１に敷設される。そして、この収納設備用吸湿敷物１の吸放湿性基材層２３の上に、布団類５が載置される。
【００２６】
このように収納設備用吸湿敷物１を設けた押入れ４においては、布団類５に含まれる湿気などが、この布団類５が接する吸放湿性基材層２に直接的に吸湿される。また、冬季の温度差などによって押入れ４の床面４１に結露を生じるような状況であっても、通気層３を介して吸放湿性基材層２に吸湿される。
【００２７】
また、この収納設備用吸湿敷物１は、吸放湿性基材層２が放湿性を有しているので、吸湿が飽和状態になってきた状況で、通気層３に乾燥した空気が存在すると、この空気に放湿して吸湿性を自動的に回復することとなる。したがって、この収納設備用吸湿敷物１は、定期的に通気層３に空気を循環させて吸湿性を回復させながら使用することが好ましい。このような通気層３の空気の循環を行うことができる押入れ４としては、例えば、押入れ４と居室４２との間にスリット状の開口４０が設けられ、押入れ４の内外で換気ができるようになされた換気型の押入れ４などが有効である。
【００２８】
また、このような換気型の押入れ４でない場合であっても、収納設備用吸湿敷物１による吸湿が飽和状態になってきた状況で、押入れ４の襖４３を開放させておけば、通気層３に空気が循環することとなり、吸放湿性基材層２の吸湿性を回復させることができることとなる。
【００２９】
さらに、もっと積極的に収納設備用吸湿敷物１による吸湿性を回復させる場合は、押入れ４から収納設備用吸湿敷物１を取り出し、天日乾しすれば急速に吸湿性を回復させることができる。
【００３０】
このような使用状態において、収納設備用吸湿敷物１による吸湿性が飽和状態になって来たか否かを見極めることが容易にできるように、図５に示すように、収納設備用吸湿敷物１に湿気感知センサー６を設けておいてもよい。これにより、使用者は、吸湿性が飽和状態になって来たことを容易に把握することができることとなる。この湿気感知センサー６としては、収納設備用吸湿敷物１の吸放湿性基材層２の湿度状況を把握することができるものであれば、特に限定されるものではなく、公知の各種湿気感知センサー６を使用することができる。例えば、この湿気感知センサー６としては、感湿剤を利用したものが使用される。感湿剤は、湿分と接触すると色の変化を生じ、放湿するともとの色に戻るという性質を有しているため、吸湿性が飽和状態になってきたことを視覚によって容易に把握することができる。また、吸放湿性基材層２の乾燥とともに、この湿気感知センサー６は、元の色に戻るため、吸放湿性基材層２と同様に繰り返し使用することができる。具体的に、この湿気感知センサー６は、吸放湿性基材層２に感湿剤を介して非透湿性フィルムを積層し、少なくとも非透湿性フィルムの周囲を吸放湿性基材層２に接着することで構成することができる。この感湿剤としては、二塩化コバルト（青色、吸湿により淡赤色）臭化コバルト（緑色、吸湿により青〜赤紫色）、塩化ニッケル（黄色、吸湿により淡緑色）、臭化ニッケル（黄褐色、吸湿により緑色）等が挙げられる。
【００３１】
この感湿剤は、粉体の状態でそのまま吸放湿性基材層２に付着せしめて使用してもよいし、あらかじめフィルム状に成形した感湿剤フィルムとして使用してもよい。
【００３２】
感湿剤フィルムは、例えば上記感湿剤を樹脂エマルジョンに配合し、均一に分散させたものをフィルム状にし、さらに溶媒を除去することによって形成することができる。この場合、感湿剤フィルムは、非透湿性フィルムの周囲の一部分を吸放湿性基材層２に接着しないようにしておき、この接着していない部分から出し入れできるように構成することができる。このように、収納設備用吸湿敷物１から感湿剤フィルムを取り出すことができることで、感湿剤フィルムを傷めることなく、収納設備用吸湿敷物１だけを必要に応じて洗濯、洗浄することができる。
【００３３】
また、感湿剤フィルムは、非透湿性フィルムの吸放湿性基材層２側の面に、感湿剤が配合された樹脂エマルジョンを塗布、乾燥させることによって形成することもできる。
【００３４】
感湿剤フィルムを形成する際に用いられる樹脂エマルジョンとしては、例えば、アクリル樹脂エマルジョン、酢酸ビニル樹脂エマルジョン、エチレン−酢酸ビニル樹脂エマルジョン、フェノール樹脂エマルジョン、不飽和ポリエステル樹脂エマルジョン、エポキシ樹脂エマルジョン、ウレタン樹脂エマルジョンなどが挙げられる。樹脂エマルジョンの選択は、吸放湿性基材層２との接着性、耐光性、難燃性、耐熱性などの要求性能に応じて適宜行えばよい。
【００３５】
また、上記したような湿気感知センサー６を設けていなかったり、湿気感知センサー６による感知に気づかなかったとしても、この収納設備用吸湿敷物１の吸放湿性基材層２は、抗菌性、防カビ性を有しているので、床面４１や布団類５などにカビが発生するといったことを防止することができるとともに、押入れ４内にカビなどによる悪臭が発生するのを防止することができることとなる。
【００３６】
なお、本実施の形態において、収納設備用吸湿敷物１は、吸放湿性基材層２が布団類５に接し、通気層３が押入れ４の床面４１に接するように敷設しているが、これとは逆に通気層３が布団類５に接し、吸放湿性基材層２が押入れ４の床面４１に接するように敷設してもよい。
【００３７】
また、本実施の形態において、収納設備用吸湿敷物１は、吸放湿性基材層２の片面にだけ通気層３が設けられているが、両面に通気層３が設けられていてもよい。
【００３８】
さらに、本実施の形態において、収納設備用吸湿敷物１は、押入れ４の床面４１に敷設されているが、側壁面、襖の内側、などに敷設されていてもよい。
【００３９】
さらに、本実施の形態では、収納設備用吸湿敷物１は、押入れ４に設けるようになされているが、下駄箱、クローゼット、タンスなどの各種収納設備に設けることができる。
【００４０】
【発明の効果】
以上述べたように、本発明によると、この収納設備用吸湿敷物を設けた押入れなどの収納内の環境調整をすることができ、結露の発生や、湿気によるカビの発生を防止することができる。
【図面の簡単な説明】
【図１】本発明に係る押入れ構造に用いる収納設備用吸湿敷物の全体構成の概略を示す斜視図である。
【図２】本発明に係る押入れ構造の全体構成の概略を示す断面図である。
【図３】図２における部分拡大断面図である。
【図４】本発明に係る押入れ構造に用いる収納設備用吸湿敷物における通気層の他の実施の形態を示す斜視図である。
【図５】本発明に係る押入れ構造に用いる収納設備用吸湿敷物のさらに他の実施の形態を示す斜視図である。
【図１】
0004918739.tif 000002
【図２】
0004918739.tif 000003
【図３】
0004918739.tif 000004
【図４】
0004918739.tif 000005
【図５】
0004918739.tif 000006